(57)【要約】【課題】受信機が置かれた放送エリアで受信可能な放送局の中で、複数のサービス（サブチャンネル）が実施されている放送局を探索し記録する【解決手段】地上デジタルテレビ放送を受信再生するデジタル放送受信装置であって、放送エリアと該放送エリアで受信可能な放送局の情報を記録したプリセットチャンネル情報記憶部と、選択された放送エリアで受信可能な放送局を前記プリセットチャンネル情報記憶部から取得し、該放送局の放送波を順に受信試行するチャンネル探索部と、前記チャンネル探索部により受信された放送波から多重化された放送データを抽出し、該放送データを解析して多重化されている複数のサービスを検出する分離部と、前記分離部の解析結果に応じて、前記多重化された複数のサービスを表示する表示部を備えることを特徴とするデジタル放送受信装置。【選択図】図１
2010199815.tif 000002
【特許請求の範囲】
【請求項１】
地上デジタルテレビ放送を受信再生するデジタル放送受信装置であって、
放送エリアと該放送エリアで受信可能な放送局の情報を記録したプリセットチャンネル情報記憶部と、
選択された放送エリアで受信可能な放送局を前記プリセットチャンネル情報記憶部から取得し、該放送局の放送波を順に受信するチャンネル探索部と、
前記チャンネル探索部により受信された放送波から多重化された放送データを抽出し、該放送データを解析して多重化されている複数のサービスを検出する分離部と、
前記分離部の解析結果に応じて、前記多重化された複数のサービスを表示する表示部を備えることを特徴とするデジタル放送受信装置。
【請求項２】
請求項１に記載のデジタル放送受信装置であって、
前記分離部の解析結果に応じて、前記選択された放送エリアで受信可能な放送局の情報を更新する更新済みチャンネル情報記憶部と、を備えることを特徴とするデジタル放送受信装置。
【請求項３】
請求項１乃至２のいずれかに記載のデジタル放送受信装置であって、
前記多重化された放送データに含まれる複数のサービスから前記表示部に表示するサービスを選択する入力部を備え、
前記入力部は、前記多重化されている複数のサービスと他の放送波のチャンネルを同一の選択方法で選択することを特徴とするデジタル放送受信装置。
【発明の詳細な説明】
【技術分野】
【０００１】
本発明はデジタル放送を受信するデジタル放送受信装置に関わるものであり、特にデジタル放送の放送波に複数のサービス（サブチャンネル）が含まれる放送波を受信するデジタル放送受信装置に関する。
【背景技術】
【０００２】
地上デジタル放送では、ひとつの放送チャンネルに対して、複数のサービス（サブチャンネル）を放送することが可能である。したがって、デジタル放送受信装置では、放送局が複数のサービス（サブチャンネル）を提供している場合には、二番目以降のサービス（サブチャンネル）の選択方法を提供している。
【０００３】
例えば、特許文献１に記載の発明では、リモコン上に配置された、視聴中の放送チャンネルと同一の放送チャンネルを選局するダイレクト選局用のチャンネルボタンを複数回押下することにより、二番目以降のサービス（サブチャンネル）の選択を可能としている。
【特許文献１】特開２００３−３１９２７４号公報
【発明の開示】
【発明が解決しようとする課題】
【０００４】
しかしながら、特許文献１に記載の発明は、ダイレクト選局用のチャンネルボタンを活用した発明であり、リモコン又は本体に、放送チャンネルをダイレクト選局用のチャンネルボタンを備えない機器には適用することができない。
【０００５】
また、特許文献１に記載の発明では、ユーザは複数のサービス（サブチャンネル）が提供されていることを認識して、現在視聴中の放送チャンネルと同一の放送チャンネルを選択するチャンネルボタンを押すことを期待している。すなわちユーザが複数のサービス（サブチャンネル）が提供されていることを、何らかの方法で認識しなければ、ユーザは、同一の放送チャンネルを選局するダイレクト選局用のチャンネルボタンを押下することはない。したがって、二番目以降のサービス（サブチャンネル）がユーザーに見落とされる可能性がある。
【０００６】
さらに、地上デジタル放送の携帯電話・移動体端末向けの１セグメント部分受信サービス、一般にワンセグと呼ばれる放送では、現在視聴している放送チャンネル以外の、放送チャンネルの情報、例えば、複数のサービス（サブチャンネル）の実施の有無や電子番組情報（ＥＰＧ）を取得することができない。したがって、これらの情報を入手するには、最低一度は放送チャンネルを選局する必要がある。
【０００７】
本発明の目的は、デジタル放送受信装置において複数サービス（サブチャンネル）が提供されている場合でも、ユーザがより容易に認識することを目的とする
【課題を解決するための手段】
【０００８】
本発明は、地上デジタルテレビ放送を受信再生するデジタル放送受信装置であって、放送エリアと該放送エリアで受信可能な放送局の情報を記録したプリセットチャンネル情報記憶部と、選択された放送エリアで受信可能な放送局を前記プリセットチャンネル情報記憶部から取得し、該放送局の放送波を順に受信試行するチャンネル探索部と、前記チャンネル探索部により受信された放送波から多重化された放送データを抽出し、該放送データを解析して多重化されている複数のサービスを検出する分離部と、前記分離部の解析結果に応じて、前記多重化された複数のサービスを表示する表示部を備えることを特徴とするものである。
【０００９】
上記発明により、放送波に多重化された複数のサービスがある場合でも、そのことをより容易に認識することが可能となる。
【００１０】
さらに本発明は、前記分離部の解析結果に応じて、前記選択された放送エリアで受信可能な放送局の情報を更新する更新済みチャンネル情報記憶部と、を備えることを特徴とするものであってもい。
【００１１】
これにより、デジタル放送受信装置は、複数サービスが提供されている放送波等についての情報を内部に記録、更新等することが可能となる。
【００１２】
本発明は上記に記載のデジタル放送受信装置であって、前記多重化された放送データに含まれる複数のサービスから前記表示部に表示するサービスを選択する入力部を備え、前記入力部は、前記多重化されている複数のサービスと他の放送波のチャンネルを同一の選択方法で選択することを特徴とするものであってもよい。
【００１３】
これにより、複数サービスが提供されている放送波と通常の放送波の選択を一つの選択方法で行うことが可能となる。その結果、ユーザはより容易に複数サービスの提供がある場合でも、より自然にそのことを認識することが可能となる。
【発明の効果】
【００１４】
本発明によると、一つの放送波に複数のサービス（サブチャンネル）が多重化されている場合であっても、ユーザは容易に認識することが可能となる。
【発明を実施するための最良の形態】
【００１５】
以下、本発明を実施するための最良の形態について、図面を参照しながら説明する。図１は、本発明の実施形態に係るデジタル放送受信装置の構成を示す。
【００１６】
アンテナ１０は、デジタル放送波を受信する。具体的には、アンテナ１０は、ホイップ（ロッド）アンテナ、ダイポールアンテナ、八木・宇田アンテナ、パラボラアンテナ、ループアンテナ、又は誘電体アンテナなどで実現される。
【００１７】
チューナ復調部２０は、アンテナ１０が受信した放送波を、指定されたチャンネルに対応する周波数に同調させることにより放送局の選局を行う。そして、指定されたチャンネルを通じて受信された信号を多重化された放送データ、例えばトランスポートストリーム（Ｔｒａｎｓｐｏｒｔ  Ｓｔｒｅａｍ）等に復調する。トランスポートストリームは、映像、音声、字幕、及びセクション情報などのデータが多重化されたものである。
【００１８】
分離部３０は、復調された多重化された放送データ（以下、トランスポートストリーム、ＴＳとして説明する）、すなわち、デジタル放送コンテンツを解析して、音声、映像、字幕、及びセクション情報などを構築する。セクション情報には、当該デジタル放送コンテンツを放送している放送局名や、当該デジタル放送コンテンツを受信機で再生するための情報のほかに、当該デジタル放送コンテンツで提供されるサービス（サブチャンネル）の個数や、当該サービスを選択するための情報が記載されている。分離部３０は、後述する、チャンネル探索部４０へこれらの情報を出力する。、チャンネル設定部８０は、これらの情報を元にチャンネルの探索や設定を行う。なお、分離部で分離されたサービスそのもののデータは、別途復号等を処理をして表示部７０等へ表示される（図示せず）。
【００１９】
チャンネル探索部４０は、後述するプリセットチャンネル情報記憶部５０に記憶された当該放送エリアの受信可能放送局一覧に記載の放送局の情報に基づいて、指定された放送エリアで受信可能な放送局からの放送波を順に受信試行するようにチューナ復調部２０を制御する。これにより、チューナ復調部２０は、実際に受信可能な放送局からの放送波を受信してＴＳを分離部３０へ出力する。チャンネル探索部４０は、分離部３０によって構築されたセクション情報から、当該放送局で実施されているサービス（サブチャンネル）の個数および、そのサービス（サブチャンネル）を選択するための所定の情報を取得する。取得できた前記サービス（サブチャンネル）の個数および、そのサービス（サブチャンネル）を選択するための所定の情報は、後述する更新済みチャンネル情報記憶部６０に保存される。これにより、チャンネル探索部４０はプリセットチャンネル情報記憶部５０に記録された放送局のみを効率的に探索するので、より高速に放送局を受信し、チャンネル情報の更新等を行うことが可能となる。
【００２０】
プリセットチャンネル情報記憶部５０は、当該受信機が製造される段階で、予め用意されたチャンネル情報を機器内に保持するために設けられる。具体的には、各地域の放送エリアと、該放送エリアで受信可能な放送局の組を保持している。したがって、機器は、放送エリアを指定されると、そのエリアで受信可能な放送局の一覧を瞬時にユーザに提示することができる。プリセットチャンネル情報記憶部５０は、ＲＯＭや、不揮発ＲＡＭなどの記憶装置等で構成される。プリセットチャンネル情報記憶部５０に記録されている情報は、商品の出荷前に記憶され頻繁に更新される可能性の低い情報である。
【００２１】
更新済みチャンネル情報記憶部６０には、前記チャンネル探索部４０が受信試行によって見つけた当該放送エリアで受信可能な各放送局の、サービス（サブチャンネル）の個数および、そのサービス（サブチャンネル）を選択するための所定の情報を記録、更新する。したがって、更新済みチャンネル情報記憶部６０には、当該放送エリアで受信可能な放送局の最新の情報が記録等されることになる。なお、プリセットチャンネル情報記憶部５０と更新済みチャンネル情報記憶部６０は、物理的に同一のメモリとマイコンから構成されても良い。
【００２２】
表示部７０は、前記更新済みチャンネル情報記憶部６０に記録されている、当該放送エリアで受信可能な放送局の最新の情報をユーザに提示する場合等に利用される。表示部７０には、受信可能な放送局と、前記放送局で行われているサービス（サブチャンネル）の一覧が表示され、ユーザは、その表示結果を参照して好みの放送局およびサービス（サブチャンネル）を選択して視聴することができる。また、ユーザが選択した番組やサービスを表示してもよい。
【００２３】
チャンネルアップダウン入力部８０は、ユーザインタフェースであり、ユーザが昇順または降順での選局またはサービス（サブチャンネル）の選択指示を入力するための装置である。ユーザはこのインタフェースを操作することにより、昇順または降順で、放送局やサービス（サブチャンネル）の選択を指示する。この方法によれば、ユーザーが選局（晩番組の選択）とサービスの選択を同一のインタフェースで容易におこなうことが可能となる。
【００２４】
チャンネル設定部９０は、前記チャンネルアップダウン入力部８０により入力された昇順または降順での放送局やサービス（サブチャンネル）の選択指示と、更新済みチャンネル情報記憶部６０に記載されているリストに従って、現在視聴中の放送局から、昇順または降順で次の放送局またはサービス（サブチャンネル）を選択するようにチューナ復調部２０または分離部３０を制御する。
【００２５】
例えば、前記チャンネルアップダウン入力部８０より、昇順での選択指示が入力された場合について説明する。チャンネル設定部９０は、更新済みチャンネル情報記憶部６０に記憶されているリストに従って、現在視聴しているサービス（サブチャンネル）について確認を行う。これにより、現在視聴している放送局では、複数のサービス（サブチャンネル）を実施しているか否か、実施しているならば、現在視聴しているサービス（サブチャンネル）は、何番目のサービス（サブチャンネル）であるかを判定する。現在視聴している放送局では、複数のサービス（サブチャンネル）を実施していない場合、複数のサービス（サブチャンネル）を実施しているが、現在視聴しているサービス（サブチャンネル）よりも小さいサービス番号のサービス（サブチャンネル）しか実施されていない場合には、次の放送局を選局するようにチューナ制御部２０を制御する。なお、昇順で次の放送局を選局する際には、最もサービス番号の小さいサービス（サブチャンネル）を選択するようにＴＳデマックス部を制御する。現在視聴している放送局で、複数のサービス（サブチャンネル）を実施しており、現在視聴しているサービス（サブチャンネル）よりも大きなサービス番号のサービス（サブチャンネル）が実施されている場合には、そのサービス（サブチャンネル）を選択するよう分離部３０を制御する。
【００２６】
次に、チャンネル探索部４０による当該放送エリアにおける受信可能な放送局とサービス（サブチャンネル）の探索処理を図２のフローチャートを参照しながら詳細に説明する。下記、当該放送エリアにおける受信可能な放送局とサービス（サブチャンネル）の探索処理は、機器の初回起動時に実行される初期設定時、電源投入処理時、電源断処理時、テレビ受信処理開始時、テレビ受信処理終了時など、商品仕様に合わせて適宜実行される。
【００２７】
まず、チャンネル探索部４０は、適切なタイミングで起動され、プリセットチャンネル情報記憶部５０に記載された放送エリアと、該放送エリアで受信可能な放送局の一覧を得る（ステップＳ１）。なお、放送エリアの指定、決定方法については、別途手段を用意するものとして、本発明では特に方法を指定しない。
チャンネル探索部４０は、取得した該放送エリアで受信可能な放送局の一覧に記載されている先頭の放送局を受信するよう、チューナ復調部２０を制御して選局を行う（ステップＳ２）。
【００２８】
チューナ復調部２０は、選局指示により新たな放送局を受信するようになり、ＴＳを出力する。チューナ復調部２０から出力されたＴＳは、分離部３０によって解析され、セクション情報としてチャンネル探索部４０に入力される。チャンネル探索部４０は、ＴＳデマックス部３０からの入力されたセクション情報から、当該放送局で複数のサービス（サブチャンネル）が実施されているか否かを判定する（ステップＳ３）。
【００２９】
前記判定結果を含め、最新のセクション情報を含むチャンネル情報は、更新済みチャンネル情報記憶部６０に記録される（ステップＳ４）。
【００３０】
その後、チャンネル探索部４０は、プリセットチャンネル情報記憶部５０から取得した該放送エリアで受信可能な放送局の一覧に、未確認の放送局があるか判定する（ステップＳ５）。
【００３１】
未確認の放送局がある場合には、該放送エリアで受信可能な放送局の一覧の次項目に記載の放送局を選択してステップＳ２から実行する（ステップＳ６）。
【００３２】
未確認の放送局が無い場合には処理を終了する。
【００３３】
以上の処理により、本発明のデジタル放送受信装置は、一つの放送波に複数のサービス（サブチャンネル）が多重化されている場合であっても、ユーザは容易に認識することが可能となる。
【００３４】
また、当該放送エリアで受信可能な放送局で複数のサービス（サブチャンネル）を実施している放送局を高速に探索することも可能である。また、その結果をいつでも参照可能である。したがって、ユーザからの選局または視聴するサービス（サブチャンネル）の変更要求や、受信可能な放送局と、該放送局での複数のサービス（サブチャンネル）の有無を表示する処理を素早く実行することが可能である。
【産業上の利用可能性】
【００３５】
本発明に係るデジタル放送受信装置は、当該受信装置が置かれた放送エリアで受信可能な放送局で、複数のサービス（サブチャンネル）が実施されていることを高速に検索し保存することができるため、デジタル放送受信装置として有用である。
【図面の簡単な説明】
【００３６】
【図１】本発明の実施形態に係るデジタル放送受信装置の構成図
【図２】サービス（サブチャンネル）の探索処理を示すフローチャート
【符号の説明】
【００３７】
１０    アンテナ
２０    チューナ復号部
３０    分離部
４０    チャンネル探索部
５０    プリセットチャンネル情報記憶部
６０    更新済みチャンネル情報記憶部
７０    表示部
８０    チャンネルアップダウン入力部
９０    チャンネル設定部
【図１】
2010199815.tif 000003
【図２】
2010199815.tif 000004